【手続補正書】
【提出日】平成18年5月24日(2006.5.24)
【手続補正１】
【補正対象書類名】明細書
【補正対象項目名】特許請求の範囲
【補正方法】変更
【補正の内容】
【特許請求の範囲】
【請求項１】  遠隔デスクトップ環境からの少なくとも１つの遠隔ウィンドウをローカルデスクトップ環境に組み込むシステムであって、該システムは、
該遠隔デスクトップ環境に接続された第１のバーチャルチャネルであって、該遠隔ウィンドウに関連するグラフィカルデータを伝達する第１のバーチャルチャネルと、
該遠隔デスクトップ環境に接続された第２のバーチャルチャネルであって、該遠隔ウィンドウに関連するウィンドウ属性データを伝達する第２のバーチャルチャネルと、
該第１および第２のバーチャルチャネルを介して該遠隔デスクトップ環境に接続されたローカルエージェントと
を備え、
該ローカルエージェントは、該ローカルデスクトップ環境において対応するウィンドウの形成を指示し、該対応するウィンドウは、該第２のバーチャルチャネルによって伝達された該ウィンドウ属性データに従って、該第１のバーチャルチャネルによって伝達された該グラフィカルデータを表示する、システム。
【請求項２】  前記ローカルエージェントによって形成されており、かつ、維持されている連結ウィンドウリストをさらに備え、
該連結ウィンドウリストは、前記ローカルデスクトップ環境において前記対応するウィンドウの修正可能なｚ順序を表している、請求項１に記載のシステム。
【請求項３】  前記遠隔ウィンドウに関連しており、かつ、前記第２のバーチャルチャネルによって伝達された前記ウィンドウ属性データは、前記遠隔ウィンドウのサイズおよびｚ順序を含んでいる、請求項１に記載のシステム。
【請求項４】  前記ローカルデスクトップ環境を形成するローカルオペレーティングシステムをさらに備え、
前記ローカルエージェントは、該ローカルオペレーティングシステムを定期的にポーリングすることにより、前記対応するウィンドウにおける属性変更を検知し、該ローカルエージェントは、該属性変更を示すメッセージを前記遠隔デスクトップ環境に送信する、請求項１に記載のシステム。
【請求項５】  前記対応するウィンドウは、前記遠隔デスクトップ環境に関連する前記遠隔ウィンドウのウィンドウ属性データと実質的に同様な、前記ローカルデスクトップ環境に関連するウィンドウ属性データを提示する、請求項１に記載のシステム。
【請求項６】  前記ローカルデスクトップ環境を複数の遠隔デスクトップ環境に接続する複数の通信リンクをさらに備え、
該複数の通信リンクは、該複数の遠隔デスクトップ環境から前記ローカルエージェントに前記遠隔ウィンドウに関連するグラフィカルデータおよびウィンドウ属性データを伝達する複数の第１および第２のバーチャルチャネルを含み、該ローカルエージェントは、該複数の遠隔ウィンドウの各々に対応するローカルデスクトップ環境において対応するウィンドウを形成する、請求項１に記載のシステム。
【請求項７】  遠隔デスクトップ環境からの少なくとも１つの遠隔ウィンドウをローカルデスクトップ環境に組み込む方法であって、該方法は、
該遠隔デスクトップ環境に接続された第１のバーチャルチャネルを介して、該遠隔ウィンドウに関連するグラフィカルデータを受信するステップと、
該遠隔デスクトップ環境に接続された第２のバーチャルチャネルを介して、該遠隔ウィンドウに関連するウィンドウ属性データを受信するステップと、
該ローカルデスクトップ環境において対応するウィンドウを形成するステップと
を包含し、
該対応するウィンドウは、該第２のバーチャルチャネルから受信した該ウィンドウ属性データに従って、該第１のバーチャルチャネルから受信した該グラフィカルデータを表示する、方法。
【請求項８】  前記ウィンドウ属性データのうちの少なくともいくつかを格納する連結ウィンドウリストを形成するステップをさらに包含する、請求項７に記載の方法。
【請求項９】  前記ローカルデスクトップ環境に関連するローカルオペレーティングシステムをポーリングすることにより、前記対応するウィンドウにおける属性変更を検知するステップと、
該検知された属性変更を示すメッセージを前記遠隔デスクトップ環境に送信するステップと
をさらに包含する、請求項７に記載の方法。
【請求項１０】  前記対応するウィンドウは、前記遠隔デスクトップ環境に関連する前記遠隔ウィンドウのウィンドウ属性データと実質的に同様な、前記ローカルデスクトップ環境に関連するウィンドウ属性データを提示する、請求項７に記載の方法。
【請求項１１】  遠隔デスクトップ環境からの少なくとも１つの遠隔ウィンドウをローカルデスクトップ環境に組み込むシステムであって、該システムは、
該ローカルデスクトップ環境に接続された第１のバーチャルチャネルであって、該遠隔ウィンドウに関連するグラフィカルデータを伝達する第１のバーチャルチャネルと、
該ローカルデスクトップ環境に接続された第２のバーチャルチャネルであって、該遠隔ウィンドウに関連するウィンドウ属性データを伝達する第２のバーチャルチャネルと、
該遠隔デスクトップ環境に関連する遠隔エージェントであって、該第１および第２のバーチャルチャネルを介して該ローカルデスクトップ環境に接続された遠隔エージェントと
を備え、
該遠隔エージェントは、該ローカルデスクトップ環境において対応するウィンドウの形成を指示するメッセージを該ローカルデスクトップ環境に送信し、該対応するウィンドウは、該第２のバーチャルチャネルによって伝達された該ウィンドウ属性データに従って、該第１のバーチャルチャネルによって伝達された該グラフィカルデータを表示する、システム。
【請求項１２】  前記遠隔エージェントによって送信されたメッセージに応答して形成されており、かつ、前記第２のバーチャルチャネルを介して伝達されたウィンドウ属性情報のうちの少なくともいくつかを含む連結ウィンドウリストをさらに備える、請求項１１に記載のシステム。
【請求項１３】  前記遠隔ウィンドウに関連しており、かつ、前記第２のバーチャルチャネルによって伝達された前記ウィンドウ属性データは、前記遠隔ウィンドウのサイズおよびｚ順序を含んでいる、請求項１１に記載のシステム。
【請求項１４】  前記遠隔デスクトップ環境を形成する遠隔オペレーティングシステムをさらに備え、
前記遠隔エージェントは、該遠隔オペレーティングシステムを定期的にポーリングすることにより、前記遠隔ウィンドウにおける属性変更を検知し、該遠隔エージェントは、該属性変更を示すメッセージを前記ローカルデスクトップ環境に送信する、請求項１１に記載のシステム。
【請求項１５】  前記対応するウィンドウは、前記遠隔デスクトップ環境に関連する前記遠隔ウィンドウのウィンドウ属性データと実質的に同様な、前記ローカルデスクトップ環境に関連するウィンドウ属性データを提示する、請求項１１に記載のシステム。
【請求項１６】  前記遠隔デスクトップ環境を複数のローカルデスクトップ環境に接続する複数の通信リンクをさらに備え、
該複数の通信リンクは、該遠隔デスクトップ環境から該複数のローカルデスクトップ環境に前記遠隔ウィンドウに関連するグラフィカルデータおよびウィンドウ属性データを伝達する複数の第１および第２のバーチャルチャネルを含み、該ローカルデスクトップ環境は、該遠隔ウィンドウに対応する対応するウィンドウを形成する、請求項１１に記載のシステム。
【請求項１７】  遠隔デスクトップ環境からの少なくとも１つの遠隔ウィンドウをローカルデスクトップ環境に組み込む方法であって、該方法は、
該ローカルデスクトップ環境に接続された第１のバーチャルチャネルを介して、該遠隔ウィンドウに関連するグラフィカルデータを送信するステップと、
該ローカルデスクトップ環境に接続された第２のバーチャルチャネルを介して、該遠隔ウィンドウに関連するウィンドウ属性データを送信するステップと、
該ローカルデスクトップ環境において対応するウィンドウの形成を指示するメッセージを該ローカルデスクトップ環境に送信するステップと
を包含し、
該対応するウィンドウは、該第２のバーチャルチャネルを介して送信された該ウィンドウ属性データに従って、該第１のバーチャルチャネルを介して送信された該グラフィカルデータを表示する、方法。
【請求項１８】  前記送信されたメッセージに応答して、前記ウィンドウ属性データのうちの少なくともいくつかを格納する連結ウィンドウリストを形成するステップをさらに包含する、請求項１７に記載の方法。
【請求項１９】  前記遠隔デスクトップ環境に関連する遠隔オペレーティングシステムをポーリングすることにより、前記遠隔ウィンドウにおける属性変更を検知するステップと、
該検知された属性変更を示すメッセージを該ローカルデスクトップ環境に送信するステップと
をさらに包含する、請求項１７に記載の方法。